(57)【特許請求の範囲】
【請求項１】
被検体内の被検部位から被検体内情報を取得する情報取得手段と、
前記情報取得手段が生成した被検体内情報に関する信号を変調して無線送信する無線手段と、
前記情報取得手段と前記無線手段とを駆動する駆動電力を蓄積する電源手段と、
前記被検部位までの距離を検出する検出手段と、
前記検出手段による検出結果に応じて、前記電源手段から前記無線手段への駆動電力の供給を制御する供給制御手段と、
を具備し、
前記供給制御手段は、前記被検部位までの距離があらかじめ設定した所定の値を下回ったことを前記検出手段が検出したことに応じて、前記無線手段への駆動電力の供給を制御することを特徴とする無線型被検体内情報取得装置。
【請求項２】
前記被検部位を照明する照明光を発光する照明手段をさらに具備し、
前記検出手段は、前記照明手段から発光された照明光の前記被検部位からの反射光の光量に基づいて、前記被検部位までの距離を検出することを特徴とする請求項１に記載の無線型被検体内情報取得装置。
【請求項３】
前記情報取得手段は、前記照明手段が照明した前記被検部位を撮像して画像信号を生成する撮像手段であることを特徴とする請求項１または２に記載の無線型被検体内情報取得装置。
【請求項４】
前記撮像手段は、前記撮像手段から既知の所定の距離だけ離間した位置に配置される被撮像面を撮像し、
前記検出手段は、前記撮像手段が撮像した前記被撮像面の前記撮像手段からの距離に基づいて、前記撮像手段が撮像する前記被検部位までの距離を検出することを特徴とする請求項３に記載の無線型被検体内情報取得装置。
【請求項５】
前記撮像手段は、オートフォーカス部と、前記撮像手段で生成された画像信号に基づいて該オートフォーカス部によるオートフォーカス動作を制御する動作制御手段と、をさらに具備し、
前記検出手段は、前記オートフォーカス部の動作状態に基づいて、前記被検部位までの距離を検出することを特徴とする請求項１に記載の無線型被検体内情報取得装置。
【請求項６】
前記検出手段は、赤外線を出射し、前記被検部位から反射してくる前記赤外線の到達時間から距離を検出する距離センサであることを特徴とする請求項１に記載の無線型被検体内情報取得装置。
【発明の詳細な説明】
【技術分野】
【０００１】
本発明は、被検体内に導入された被検体内情報取得装置、たとえば飲み込み型のカプセル型内視鏡の各部位に電力を供給する無線型被検体内情報取得装置に関し、特に無線装置への電力供給のタイミングを規定する無線型被検体内情報取得装置に関するものである。
【背景技術】
【０００２】
近年、内視鏡の分野では、撮像機能と無線機能とが装備されたカプセル型内視鏡が登場している。このカプセル型内視鏡は、観察（検査）のために被検体である被検者に飲み込まれた後、被検者の生体から自然排出されるまでの観察期間、胃、小腸などの臓器の内部（体腔内）をその蠕動運動に伴って移動し、撮像機能を用いて順次撮像する構成である。
【０００３】
また、これら臓器内の移動によるこの観察期間、カプセル型内視鏡によって体腔内で撮像された画像データは、順次無線通信などの無線機能によって、予め設定されたシーケンスに基づき、被検体の外部に設けられた外部装置に送信され、メモリに蓄積される。被検者がこの無線機能とメモリ機能を備えた外部装置を携帯することにより、被検者は、カプセル型内視鏡を飲み込んだ後、排出されるまでの期間、不自由を被ることなく行動が可能になる。外部装置による画像データの取得後は、医師もしくは看護士によって、外部装置のメモリに蓄積された画像データに基づいて、体腔内の画像をディスプレイなどの表示手段に表示させて診断を行うことができる。
【０００４】
この種のカプセル型内視鏡では、たとえば特許文献１に示すような飲み込み型のものがある。このカプセル型内視鏡は、飲み込み前の状態としては、磁石を含むパッケージに収容されており、この磁石とカプセル型内視鏡内部に配設された磁石とによってバッテリなどの電源装置から撮像装置や無線装置などの電気部品への電力供給が抑止されて、バッテリの消耗を防いでいる。そして、飲み込み時に、このカプセル型内視鏡をパッケージから取り出すことで、磁石から離隔してカプセル型内視鏡が磁力の影響を受けなくなって電力供給の抑止が解除される。これによって、カプセル型内視鏡内の上述した電気部品にバッテリから電力が供給されて画像の撮像および送信が行われていた。
【０００５】
【特許文献１】国際公開第０１／３５８１３号パンフレット
【発明の開示】
【発明が解決しようとする課題】
【０００６】
しかしながら、このような装置では、被検体内にカプセル型内視鏡が導入される前に各電気部品に電力供給が行われ、特に被検体導入前の早い段階で電力消費の大きい無線装置に電力供給がなされてしまうと、撮影の必要な臓器での画像収集が十分に行われる前にバッテリの電力が消尽して、電力供給が停止してしまう恐れがある。
【０００７】
本発明は、上記問題に鑑みてなされたものであって、無線装置への電力供給のタイミングを、カプセル型内視鏡が被検体内に導入された後に行うことで、無駄な電力消費を削減して被検体内での画像収集および画像送信を的確に行うことができる無線型被検体内情報取得装置を提供することを目的とする。
【課題を解決するための手段】
【０００８】
上述した課題を解決し、目的を達成するために、本発明にかかる無線型被検体内情報取得装置は、被検体内の被検部位から被検体内情報を取得する情報取得手段と、前記情報取得手段が生成した被検体内情報に関する信号を変調して無線送信する無線手段と、前記情報取得手段と前記無線手段とを駆動する駆動電力を蓄積する電源手段と、前記被検部位までの距離を検出する検出手段と、前記検出手段による検出結果に応じて、前記電源手段から前記無線手段への駆動電力の供給を制御する供給制御手段と、を具備し、前記供給制御手段は、前記被検部位までの距離があらかじめ設定した所定の値を下回ったことを前記検出手段が検出したことに応じて、前記無線手段への駆動電力の供給を制御することを特徴とする。
【０００９】
また、本発明にかかる無線型被検体内情報取得装置は、上記発明において、前記被検部位を照明する照明光を発光する照明手段をさらに具備し、前記検出手段は、前記照明手段から発光された照明光の前記被検部位からの反射光の光量に基づいて、前記被検部位までの距離を検出することを特徴とする。
【００１１】
また、本発明にかかる無線型被検体内情報取得装置は、上記発明において、前記情報取得手段は、前記照明手段が照明した前記被検部位を撮像して画像信号を生成する撮像手段であることを特徴とする。
【００１２】
また、本発明にかかる無線型被検体内情報取得装置は、上記発明において、前記撮像手段は、前記撮像手段から既知の所定の距離だけ離間した位置に配置される被撮像面を撮像し、前記検出手段は、前記撮像手段が撮像した前記被撮像面の前記撮像手段からの距離に基づいて、前記撮像手段が撮像する前記被検部位までの距離を検出することを特徴とする。
【００１３】
また、本発明にかかる無線型被検体内情報取得装置は、上記発明において、前記撮像手段は、オートフォーカス部と、前記撮像手段で生成された画像信号に基づいて該オートフォーカス部によるオートフォーカス動作を制御する動作制御手段と、をさらに具備し、前記検出手段は、前記オートフォーカス部の動作状態に基づいて、前記被検部位までの距離を検出することを特徴とする。
また、本発明にかかる無線型被検体内情報取得装置は、上記発明において、前記検出手段は、赤外線を用いた距離センサであることを特徴とする。
【発明の効果】
【００１４】
本発明にかかる無線型被検体内情報取得装置は、被検部位との距離を検出し、該検出した距離に基づき、自装置が体腔内に存在するかどうか検出することで、無線装置への電力供給を判断するので、無線装置への電力供給のタイミングを、カプセル型内視鏡が被検体内に導入された後に行うことで、無駄な電力消費を削減して被検体内での画像収集および画像送信を的確に行うことができるという効果を奏する。
【００１５】
本発明にかかる無線型被検体内情報取得装置は、被検部位からの反射光量と距離との関係から、被写体との距離を検出し、該検出した距離に基づき、自装置が体腔内に存在するかどうか検出することで、無線装置への電力供給を判断するので、無線装置への電力供給のタイミングを、カプセル型内視鏡が被検体内に導入された後に行うことで、無駄な電力消費を削減して被検体内での画像収集および画像送信を的確に行うことができるという効果を奏する。
【００１６】
本発明にかかる無線型被検体内情報取得装置は、オートフォーカス機能によるオートフォーカス動作の制御に基づいて、被写体との距離を検出し、該検出した距離に基づき、自装置が体腔内に存在するかどうか検出することで、無線装置への電力供給を判断するので、無線装置への電力供給のタイミングを、カプセル型内視鏡が被検体内に導入された後に行うことで、無駄な電力消費を削減して被検体内での画像収集および画像送信を的確に行うことができるという効果を奏する。
【発明を実施するための最良の形態】
【００１７】
以下に、本発明にかかる無線型被検体内情報取得装置の実施例を図面に基づいて詳細に説明する。なお、以下の図において、同様の構成部分に関しては、説明の都合上、同一符号を付記するものとする。また、本発明は、これらの実施の形態に限定されるものではなく、本発明の要旨を逸脱しない範囲で種々の変更実施の形態が可能である。
【００１８】
（実施の形態１）
図１は、本発明にかかる電力供給装置を用いたカプセル型内視鏡システムの概念を示すシステム概念図である。図１において、このカプセル型内視鏡システムは、被検体１０の体腔内に導入されるピル（無線型被検体内導入装置）１と呼ぶカプセル型内視鏡と、被検体１０の外部に配置されて、ピル１との間で各種の情報を無線通信する体外装置である外部装置２とから構成されている。外部装置２は、被検者が着用する衣類などに配設され、ピルからの上述したＲＦ信号を受信する受信用アンテナと、上記各種制御信号をＲＦ信号でピルに送信する送信用アンテナと、この受信用および送信用アンテナを介してピル１と通信を行うための体外ユニットとから構成されている（図示せず）。
【００１９】
ピル１は、たとえば図２の断面図に示すように、両端が球形の略円筒形のカプセルからなり、ピルの前面側に設けられた透明なドーム１１ａと、体腔内を撮像して画像データを得る情報取得手段乃至撮像手段としての撮像機構部と、この画像データを含む各種情報を送信する無線手段としての無線機構部などから構成されている。被検体内に導入される前のピル１においては、ドーム１１ａを囲繞するように、ドーム保護用のキャップ３１が装着されている。このキャップ３１は、ドーム１１ａに対して着脱可能に設けられており、被検者がピル１を被検体内に導入する時に、このキャップ３１をピル１からはずして口から飲み込むことで体腔内の撮像を可能にする。
【００２０】
撮像機構部は、被検体１０の体腔内を照射する複数の発光素子（ＬＥＤ）などの照明装置１２と、その反射光である体腔内の画像を撮像する電荷結合素子（ＣＣＤ）やＣＭＯＳ型の撮像カメラなどの撮像装置１３と、この撮像装置１３へ像を結像させる光学系部品１４とから構成されている。照明装置１２は、前面のドーム１１ａを通して体腔の内部部分を照明しており、撮像装置１３は、その反射光を取り込んで体腔内部の被検部位像を撮像している。
【００２１】
無線機構部は、この撮像された画像信号をＲＦ信号に変調して送信する無線装置１５と、ＲＦ信号の電波を被検体１０外部に放出する送信用アンテナ１６とから構成されて、後面のドーム１１ｂ内に設けられている。また、ピル１は、ＬＥＤ１２、ＣＣＤ１３、無線装置１５、送信用アンテナ１６などの内部の電気部品に電力を供給する酸化銀電池などの電源装置１８を備えている。さらに、ピル１では、たとえば受信機と受信用アンテナを備えれば、外部装置２からの各種制御信号に基づいて、上述したＬＥＤやＣＣＤなどの駆動を制御することも可能である。
【００２２】
図３は、本発明にかかるピルにおける電気系統の実施の形態１の構成を示す構成図である。ところで、通常の無線型被検体内情報取得装置１は、ＬＥＤからなる照明装置１２（照明手段）と、撮像カメラからなる撮像装置１３と、ＲＦ信号の電波を通信する無線装置１５と、これらの電気部品に電力を供給する電池からなる電源装置１８と、電源装置１８と各電気部品間に設けられたリードスイッチ１９とから構成されている。なお、このリードスイッチ１９は、使用前のピル１を把持するパッケージに設けられた磁性部材（磁石）３０からの抑制または開放によってオン／オフしている。
【００２３】
この構成において、リードスイッチ１９は、たとえば磁石３０の離隔または接近によってオン／オフするように構成されており、このリードスイッチ１９は、パッケージに把持された初期状態から、このリードスイッチ１９の近傍に設けられた磁石３０を離隔することでオン状態になり、一度オン状態になるとこの状態を保持することで、電池１８から電気部品の各部位に電力が連続的に供給されることとなる。なお、このリードスイッチ１９は、磁石３０の接近または離隔によってオン／オフするように構成することも可能である。
【００２４】
これに対して、図３に示したピル１は、無線装置１５をリードスイッチ１９とサブスイッチ２０を介して電池１８と接続させるとともに、被写体とピル１との距離を検出する検出手段としての距離センサ２１と、このサブスイッチ２０をオン／オフ制御する供給制御手段としての供給制御部２２およびラッチ回路２３を設けて構成される。すなわち、この実施の形態では、リードスイッチ１９のみがオン状態になっても（サブスイッチ２０はオフ状態）、無線装置１５には電力供給されないので、無線装置１５は、パワーオンせず、撮像装置１３が撮像した画像データの送信を行うことができないように構成されている。
【００２５】
距離センサ２１および供給制御部２２は、リードスイッチ１９がオン状態になると、電源装置１８から電力の供給が行われるように接続されており、距離センサ２１が被写体とピル１との距離を検出すると、供給制御部２２は、検出された距離に基づいて、サブスイッチ２０をオン状態に動作制御する。
【００２６】
すなわち、距離センサ２１は、一般的な距離検出用のセンサで、リードスイッチ１９がオン状態になると、たとえば赤外線をドーム１１ａ前方に出射して、被写体から反射してくる赤外線の到達時間から、ドーム１１ａ前方の被写体とピル１との距離を検出している。
【００２７】
供給制御部２２は、リードスイッチ１９がオン状態になると、電源装置１８から電力の供給が行われるように接続されており、距離センサ２１で被写体との距離が検出されると、検出された距離が所定値以下（ピル１が体腔内に導入されたという情報）の場合に、ピル１が被検体内に飲み込まれたと判断し、制御信号を出力してラッチ回路２３を動作制御して、サブスイッチ２０をオン状態に動作制御する。
【００２８】
ラッチ回路２３は、たとえばＤ型フリップフロップなどで構成されており、供給制御部２２から一旦制御信号が入力すると、サブスイッチ２０をオン状態にし、それ以降はこのオン状態を保持して、無線装置１５の電力供給を維持させている。
【００２９】
次に、この無線型被検体内情報取得装置の電力供給動作を、図４のフローチャートを用いて説明する。図４において、ピル１がパッケージから取り出されると、ピル１が磁石３０からの磁力の影響を受けなくなり、リードスイッチ１９がオン状態になる（ステップ１０１）。このリードスイッチ１９がオンになると、無線装置１５を除く各電気部品（この実施の形態ではＬＥＤ１２、撮像装置１３、距離センサ２１および供給制御部２２）に電力が供給されて（ステップ１０２）、撮像装置１３が撮像動作を開始し、距離センサ２１は、前方の被写体との距離を検出して、その距離データを供給制御部２２に出力する（ステップ１０３）。
【００３０】
供給制御部２２は、この距離データを取り込むと、この検出された距離が所定値以下かどうか判断する（ステップ１０４）。ここで、この距離が所定値以下の場合には、供給制御部２２は、ピル１が体腔内に入ったと判断して、サブスイッチ２０をオン状態に制御する（ステップ１０５）。これによって、電池１８から無線装置１５に電力が供給される（ステップ１０６）。これにより、無線装置１５は、パワーオンし、ＬＥＤ１２によって照明され、かつ撮像装置１３によって撮像された体腔内の画像データを外部へ送信することが可能になる。
【００３１】
このように、この実施の形態では、距離センサで検出された距離データに基づき、ピルが体腔内に存在するかどうか検出して無線装置への電力供給を判断するので、無線装置への電力供給のタイミングを、カプセル型内視鏡が被検体内に確実に導入された後に行うことでき、これによって電力消費を削減して被検体内での画像収集および画像送信を的確に行うことができる。
【００３２】
ところで、上述した実施の形態１の無線型被検体内情報取得装置では、被検者の口内に導入された瞬間にサブスイッチがオン状態になってしまうことが考えられ、このように飲み込んだ瞬間ではなく、確実に検査対象の臓器に導入された状態で無線装置１５に電力供給を行いたい場合がある。
【００３３】
図５は、このような要望に応じて案出された実施の形態１の他の構成を示すブロック図である。図５において、図３と異なる点は、供給制御部２２にタイマ２４を接続させて、被写体との距離が所定値以下になってから、一定時間後に無線装置１５に電力を供給して、画像データの送信を行う点である。
【００３４】
たとえば、ピルが胃に導入されてから画像データの送信を始める場合には、検出される距離が所定値以下になってからピル１が胃に到達するまでの一定時間を、タイマ２４に予めセットしておき、供給制御部２２は、取り込んだ距離が所定値以下になると、タイマ２４を起動させ、一定時間経過後にラッチ回路２３を制御してサブスイッチ２０をオン状態にさせる。これによって、ピル１が確実に検査対象の胃に導入された時点で、電池１８から無線装置１５に電力が供給され、ＬＥＤ１２によって照明され、かつ撮像装置１３によって撮像された胃内部の画像データの外部への送信が行われることになる。
【００３５】
このように、この実施の形態では、ピルが検査対象に導入された時点で、無線装置に電力供給を行うので、さらに電力消費を削減して、被検体内での検査対象の画像収集および画像送信を的確に行うことができる。
【００３６】
（実施の形態２）
なお、実施の形態１で用いた距離センサは、構成が複雑で、高価であるので、ピルに用いることが難しい場合が想定される。そこで、この実施の形態では、光量センサを用いてドーム１１ａ前方の光量を検出して、この光量と距離との相関関係から、被写体までの距離を検出して、無線装置１５に電力供給を行う無線型被検体内情報取得装置を提供する。
【００３７】
すなわち、図６の反射光の光量と各被写体の位置に示すように、キャップ装着時（キャップ内壁との距離）、キャップ離脱時（被検体外の被写体との距離）、被検体内導入時（体腔内との距離）、被検体外と被検体内の温度差に伴ってドーム１１ａ内壁がくもる状態（ハレーション）の時（ドーム内壁との距離）に、被写体からの反射光の光量が、図６に示すように変化する相関関係にあるので、この光量と被写体の距離との相関関係から、被写体までの距離を検出することができる。
【００３８】
図７は、本発明にかかるピルにおける電気系統の実施の形態２の構成を示す構成図である。この実施の形態では、光量センサ２５を設けて、ＬＥＤ１２によって照明された被写体からの反射光の光量を検出するものである。この場合、ピルが被検体外にある場合には、ＬＥＤ１２の照明光が被写体に届きにくく、検出される光量は少なくなり、ピルが被検体内にある場合には、被写体である体腔が密着した状態にあり、検出される光量は多くなる。
【００３９】
そこで、この実施の形態では、この光量センサ２５に接続された供給制御部２２に、予め図６に示した光量と距離との相関関係を設定しておく。そして、供給制御部２２は、この関係に基づき、入力する光量のデータから距離を検出し、被検体１０の内部（体腔内）と外部（室内）の被写体との距離が所定値以下になると、被検体内にピル１が導入されたと判断してラッチ回路２３を制御して、サブスイッチ２０をオン状態に動作制御する。
【００４０】
このように、この実施の形態では、光量と距離との相関関係から、被写体との距離を検出し、この検出された距離データに基づき、ピルが体腔内に存在するかどうか検出して無線装置への電力供給を判断するので、無線装置への電力供給のタイミングを、カプセル型内視鏡が被検体内に確実に導入された後に行うことでき、これによって電力消費を削減して被検体内での画像収集および画像送信を的確に行うことができるとともに、簡単な構成でピルを安価に製造することが可能となる。
【００４１】
また、この実施の形態では、たとえば被検体外と被検体内の温度差に伴って、ドーム１１ａ内壁にくもり状態（ハレーション）が発生しても、反射光の光量から、ドーム内壁までの距離を検出することが可能となるので、ピルが体腔内に存在するかどうか容易に検出することができる。
【００４２】
（実施の形態３）
図８は、この発明にかかるピルにおける電気系統の実施の形態３の構成を示す構成図である。この実施の形態では、ピル１がオートフォーカス動作の制御を行うオートフォーカス機能を備えている場合を想定している。すなわち、この実施の形態では、撮像装置１３にオートフォーカス部２６が接続され、この撮像装置１３で撮像された画像データがオートフォーカス部２６に出力されている。オートフォーカス部２６は、この撮像装置１３から出力される画像データに基づいて、オートフォーカス動作の制御を行って、光学系部品１４（図２参照）のレンズを移動させて、焦点合わせを行う。
【００４３】
供給制御部２２は、このレンズの移動量から被写体との距離を検出する。さらに、供給制御部２２は、この検出された距離が所定値以下かどうか判断して、この距離が所定値以下の場合には、ピル１が体腔内に入ったと判断して、サブスイッチ２０をオン状態に制御する。これによって、電池１８から無線装置１５に電力が供給され、無線装置１５は、パワーオンする。
【００４４】
なお、オートフォーカス部２６によるレンズの焦点合わせでは、画像のエッジの強さ（たとえば黒画像から白画像へ移行する時のエッジの傾き）によって最適な焦点位置を求めており、この実施の形態では、この最適な焦点位置までのレンズの移動量に基づいて被写体との距離を検出する。また、この場合に、初期状態で基準となるレンズの位置を規定することとなるが、たとえば図２に示したキャップ３１がピル１に装着された状態で、撮像装置１３がキャップ内壁の画像を撮像し、この時のオートフォーカス部２６によるレンズの焦点位置での距離を、基準の距離に設定することが可能である。
【００４５】
このように、この実施の形態では、オートフォーカス機能による焦点合わせ時のレンズ移動量から被写体との距離を検出し、この検出された距離データに基づき、ピルが体腔内に存在するかどうか検出して無線装置への電力供給を判断するので、無線装置への電力供給のタイミングを、カプセル型内視鏡が被検体内に確実に導入された後に行うことでき、これによって電力消費を削減して被検体内での画像収集および画像送信を的確に行うことができる。
【００４６】
また、実施の形態２，３においても、図５に示したタイマを設けて、ピルが確実に検査対象の臓器に導入されてから、無線装置に電力供給を行うように構成することも可能である。
【図面の簡単な説明】
【００４７】
【図１】本発明にかかる電力供給装置を用いたカプセル型内視鏡システムの概念を示すシステム概念図である。
【図２】図１に示した無線型被検体内情報取得装置の概略構成を示す断面図である。
【図３】図１に示した無線型被検体内情報取得装置における電気系統の実施の形態１の構成を示すブロック図である。
【図４】図３に示した無線型被検体内情報取得装置の電力供給動作を説明するためのフローチャートである。
【図５】図１に示した無線型被検体内情報取得装置における電気系統の実施の形態１の他の構成を示すブロック図である。
【図６】反射光の光量と各被写体の位置（距離）の関係を示す関係図である。
【図７】図１に示した無線型被検体内情報取得装置における電気系統の実施の形態２の構成を示すブロック図である。
【図８】図１に示した無線型被検体内情報取得装置における電気系統の実施の形態３の構成を示すブロック図である。
【符号の説明】
【００４８】
１  無線型被検体内情報取得装置（ピル）
２  外部装置
１０  被検体
１１ａ，１１ｂ  ドーム
１２  照明装置（ＬＥＤ）
１３  撮像装置
１４  光学系部品
１５  無線装置
１６  送信用アンテナ
１８  電源装置（電池）
１９  リードスイッチ
２０  サブスイッチ
２１  距離センサ
２２  供給制御部
２３  ラッチ回路
２４  タイマ
２５  光量センサ
２６  オートフォーカス部
３０  磁石
３１  キャップ
【図１】
0004656824.tif 000002
【図２】
0004656824.tif 000003
【図３】
0004656824.tif 000004
【図４】
0004656824.tif 000005
【図５】
0004656824.tif 000006
【図６】
0004656824.tif 000007
【図７】
0004656824.tif 000008
【図８】
0004656824.tif 000009